(57)【要約】【課題】理容師や美容師がその作業中に櫛を回転する等の不安定な持ち方をすることがあっても、櫛が落下してしまうようなことを効果的に防止すること。【解決手段】櫛歯５を支持しかつ使用者が把持する箇所である櫛骨３と、用途を異にする櫛歯５１，５２によってそれぞれ形成される複数の櫛歯領域Ａ１，Ａ２と、櫛骨３の側面に当たる峰部７のうち少なくとも一方の側の峰部７に形成され、当該峰部７における前記各櫛歯５の基端部に相当する箇所に位置する複数の扁平突起部９１，９２とを有する櫛１を提供する。【選択図】図１
0003114881.tif 000002
【実用新案登録請求の範囲】
【請求項１】
多数の櫛歯と、
当該櫛歯を支持しかつ使用者が把持する箇所である櫛骨と、
櫛骨のうち用途を異にする櫛歯によってそれぞれ形成される複数の櫛歯領域と、
前記櫛骨の側面に当たる峰部のうち少なくとも一方の側の峰部に形成され、当該峰部における前記各櫛歯の基端部に相当する箇所に設けられる複数の扁平突起部とを有する櫛。
【請求項２】
前記扁平突起部は、前記櫛骨の側面に当たる峰部のうちの他方の側の峰部にも形成されていることを特徴とする請求項１に記載の櫛。
【請求項３】
前記扁平突起部は、隣接する他の扁平突起部と所定間隔を空けて配置されていることを特徴とする請求項１又は２に記載の櫛。
【請求項４】
前記扁平突起部は截頭錐状又は柱状をしており、その頂面は、凹曲面形状をしていることを特徴とする請求項３に記載の櫛。
【請求項５】
前記扁平突起部は截頭錐状又は柱状をしており、その頂面に突起を有することを特徴とする請求項３に記載の櫛。
【請求項６】
前記扁平突起部は、前記複数の櫛歯領域ごとに大きさが異なり、
前記櫛骨の長手方向半分は、櫛歯間の寸法が大きめの第１の櫛歯領域であり、残り半分は櫛歯間の寸法が小さめの第２の櫛歯領域であり、
前記第１の櫛歯領域に対応して形成されている第１の扁平突起部よりも前記第２の櫛歯領域に対応して形成されている第２の扁平突起部の方が小さいことを特徴とする請求項１から請求項４のいずれかに記載の櫛。
【考案の詳細な説明】
【技術分野】
【０００１】
本考案は櫛に関する。
【背景技術】
【０００２】
一般に、理美容用の櫛は、髪を梳いたり、カットしようとする部分の毛束を取り出したりする等、理髪作業中の用途や目的に応じて異種類の櫛を使い分けている。
【０００３】
実際の理髪作業においては、髪を梳く作業と毛束を頭皮からほぼ垂直な方向へ取り出す作業等々が交互に繰り返して頻繁に行われ、その都度、作業内容に応じて櫛を取り替えていたのでは、作業効率の低下を招来する。
【０００４】
そこで、そのような不都合を解消するために、例えば周知のごとく、細かい目の歯と、粗い目の歯とを櫛の長手方向にほぼ半分ずつ形成したものや、細かい目の歯と粗い目の歯とを背中合わせにして一体に形成した櫛などが用いられている。これらの櫛は、目的に応じて櫛を持つ手の位置を、使用する歯の目に応じて櫛上で変えたり、櫛を指で回転させたりすることで変更し、これにより異種類の櫛歯を使い分ける。よって、一本の櫛でありながら二本分の櫛の機能を有するので作業効率の低下防止に役立つ。
【考案の開示】
【考案が解決しようとする課題】
【０００５】
ところで、櫛の取り扱いになれた理容師や美容師であっても、その作業中に櫛を落としてしまうことがあり、落下した櫛は衛生的に好ましくないばかりか、作業性を低下させる。また、顧客から見て理容師や美容師が落ちた櫛を拾い上げる姿はあまり見好いものではない。
【０００６】
本考案は、このような実情に鑑みて考案されたものであって、その解決しようとする課題は、理容師や美容師がその作業中に櫛を回転する等の不安定な持ち方をすることがあっても、櫛が落下してしまうことを効果的に防止することができる技術を提案することにある。
【課題を解決するための手段】
【０００７】
そこで本考案の櫛は、上述の課題を解決するために以下の手段を採用した。
即ち、本考案の櫛は、多数の櫛歯と、櫛歯を支持しかつ使用者が把持する箇所である櫛骨と、用途を異にする櫛歯によってそれぞれ形成される複数の櫛歯領域と、前記櫛骨の側面に当たる峰部のうち少なくとも一方の側の峰部に形成され、当該峰部における前記各櫛歯の基端部相当箇所に位置する複数の扁平突起部とを有する。
なお、通常、櫛は、櫛骨のうち一方の側の峰部に親指を宛がうと共に、他方の側の峰部に人指し指及び中指を宛がうか、人指し指，中指及び薬指の三指を宛がった状態で把持する。
【０００８】
本考案はこのような構成であるから、理髪作業中に理容師や美容師が目的に応じて櫛骨を持つ手の位置を、使用する櫛歯の目の違いに応じて変えたり、櫛を指で回転させたりすることで、一本の櫛に設けられた櫛歯を用途に応じて使い分ける際に、櫛骨に形成された複数の扁平突起部に理容師や美容師の指頭が当たる。この時、扁平突起部は、扁平であっても突起部である以上、峰部のうち突起部が形成されていない箇所との間に高低差を生じる。このため、扁平突起部に指を宛がうと、当該高低差に応じて指頭はその弾力により変形し、峰部と指頭との間の摩擦抵抗が増大する。このため、理髪作業中に理容師や美容師
が櫛骨を持つ手の位置を変えたり、櫛を指で回転させたりしても、櫛が理容師や美容師の手から離れ難くなる。
【０００９】
扁平突起部は、前記櫛骨の側面に当たる峰部のうちの他方の側の峰部にも形成されているのが好ましい。このようにすることで、櫛を把持する各指の全てが峰部に当接するようになり、それだけ指と櫛との間の摩擦係数が高まるから、櫛の落下を一層抑制し易くなる。扁平突起部は、隣接する他の扁平突起部と所定間隔を空けて配置することも考えられる。
【００１０】
所定間隔とは指頭が扁平突起部に当接した時に、当該所定間隔の間に指頭が十分食い込める程度の間隔が好適である。このようにすると、櫛を把持した時の指頭形状が所定間隔を開けた複数の扁平突起部によって複数の波頭形状となって摩擦抵抗が増大する。
扁平突起部は截頭錐状又は柱状とし、その頂面の形状を凹曲面形状にすると好適である。
【００１１】
また前記扁平突起部の頂面に突起を形成することも考えられる。このようにすることで、前記摩擦抵抗が一層増大する。
【００１２】
さらに、前記扁平突起部は、前記複数の櫛歯領域ごとに大きさが異なるようにし、前記櫛骨の長手方向半分は、櫛歯間の寸法が大きめの第１の櫛歯領域であり、残り半分は櫛歯間の寸法が小さめの第２の櫛歯領域とする。そして、前記第１の櫛歯領域に対応して形成されている第１の扁平突起部よりも前記第２の櫛歯領域に対応して形成されている第２の扁平突起部の方を小さくする。このようにすることで、櫛を見ないでも扁平突起部に指が触れた時の当たりの違いによって、たとえ視認しなくても、どの櫛歯を利用しているのかが判る。したがって、理容師や美容師の作業効率を高めることができる。
【考案の効果】
【００１３】
理髪作業中に理容師や美容師が櫛骨を持つ手の位置を変えたり、櫛を指で回転させたりしても、櫛が理容師や美容師の手から離れ難くなる。このため、落下を防止でき、作業効率が高まる。
【考案を実施するための最良の形態】
【００１４】
図１〜図８に本考案に係る櫛の具体例を示す。
本考案の櫛１は、櫛歯を支持しかつ使用者が把持する箇所である櫛骨３を有する。
櫛骨３は、理髪作業中に毛髪に当てられかつ用途を異にする複数の櫛歯５からそれぞれ形成される複数（この実施形態では２つ）の櫛歯領域Ａ１，Ａ２を有する。櫛歯領域Ａ１，Ａ２は、櫛骨３の長手方向においてほぼ同じ長さに区分けされた領域である。櫛歯領域Ａ１は、櫛歯間の寸法が大きめの第１の櫛歯領域であり、櫛歯領域Ａ２は、第１の櫛歯領域よりも櫛歯間の寸法が小さめの第２の櫛歯領域である。
【００１５】
櫛骨３の側面を峰部といい、符号７で示す。
峰部７には、前記各櫛歯の基端部に相当する箇所に位置する複数の扁平突起部９が形成されている。扁平突起部９は、櫛歯領域Ａ１とＡ２とで形態が異なり、櫛歯領域Ａ１の扁平突起部９１よりも櫛歯領域Ａ２の扁平突起部９２の方が小さい。
【００１６】
また、櫛歯領域Ａ１の櫛歯５と櫛歯領域Ａ２の櫛歯５とは同じ形態である。しかし、櫛歯領域Ａ１の櫛歯５の方が、隣接する櫛歯５との間の間隔Ｓ１（いわゆる櫛目に想到する）が、櫛歯領域Ａ２の間隔Ｓ２よりも大きい（図２参照）。なお、便宜上、櫛歯領域Ａ１の櫛歯を符号５１で示し、櫛歯領域Ａ２の櫛歯を符号５２で示す。そして、各櫛歯５の基端部に相当する箇所に位置する扁平突起部９の大きさも櫛歯領域Ａ１にある方が櫛歯領域
Ａ２にある扁平突起部９よりも大きい。櫛歯領域Ａ１にある扁平突起部を符号９１で示し、櫛歯領域Ａ２にある扁平突起部を符号９２で示す。なお、符号９は扁平突起部９１及び９２の総称である。
【００１７】
扁平突起部９は截頭錐状又は柱状とし、その頂面の形状を凹曲面形状にすると好適である。この実施形態では横断面楕円の錐状体である。また扁平突起部９の頂面９ａは、緩やかな凹曲面形状をしている。
【００１８】
そして、櫛歯領域Ａ１に対応して形成されている扁平突起部９１よりも櫛歯領域Ａ２に対応して形成されている扁平突起部９２の方を小さくする。
【００１９】
本実施形態に係る櫛１は、このような構成であるから、次の作用効果を奏する。
理髪作業中に目的に応じて理容師や美容師が櫛骨３を持つ手の位置を、使用する櫛歯５の目の違いに応じて変えたり、櫛１を指で回転させたりすることで、櫛１に設けられた櫛歯５を用途に応じて使い分ける際に、櫛骨３の複数の扁平突起部５に、理容師や美容師の指頭が当たる（図１０参照）。この時、扁平突起部５は扁平故、低背（丈寸法が小さいこと）であっても突起部であるので、峰部７のうち扁平突起部５が形成されていない箇所との間には高低差を生じる。このため、当該高低差に応じて理容師や美容師の指頭は、その弾力により変形する。
【００２０】
したがって、峰部７と指頭との間の摩擦抵抗が増大する。したがって、理髪作業中に理容師や美容師が櫛骨３を持つ手の位置を変えたり、櫛１を指で回転させたりしても、櫛１が理容師や美容師の手から離れ難くなる。
【００２１】
扁平突起部９は、両方の側の峰部７に形成されているので、櫛１を把持する各指の全てが峰部７に当接するようになる。よって、それだけ指と櫛１との間の摩擦係数が高まるから、櫛１の落下を抑制し易くなる。
【００２２】
扁平突起部９は、隣接する他の扁平突起部９と所定間隔を空けて配置することも考えられる。
所定間隔とは指頭が扁平突起部９に当接した時に、当該所定間隔の間に指頭が十分食い込める程度の間隔が好適である。このようにすると、櫛１を把持した時の指頭形状が所定間隔を開けた複数の扁平突起部９によって複数の波頭形状となって摩擦抵抗が増大する（図６参照）。
【００２３】
さらに、扁平突起部９は、櫛歯領域Ａ１におけるものとＡ２のものとでは大きさが異なり、櫛骨３の長手方向半分は、櫛歯間の寸法が大きめの櫛歯領域Ａ１であり、残り半分は櫛歯間の寸法が小さめの櫛歯領域Ａ２であり、櫛歯領域Ａ１に対応して形成されている第１の扁平突起部９１よりも櫛歯領域Ａ２に対応して形成されている第２の扁平突起部９２の方が小さいから、理容師や美容師は、櫛１を見ないでも扁平突起部９に指が触れた時の当たりの違いによって、視認しなくても、櫛歯領域Ａ１の櫛歯５１を利用しているのか、又は櫛歯領域Ａ２の櫛歯５２を利用しているのかが判る。したがって、理容師や美容師の作業効率を高めることができる。
なお、領域Ａは例えばロゴタイプを入れたりするのに好適である。
【００２４】
櫛１は、このような構成であるから、理髪作業中に理容師や美容師が櫛骨３を持つ手の位置を変えたり、櫛１を指で回転させたりしても、櫛１が理容師や美容師の手から離れ難くなる。このため、落下を防止でき、作業効率を高めることができる。
【００２５】
なお、本考案は上述の図示例にのみ限定されるものではなく、本考案の要旨を逸脱しな
い範囲内において種種変更を加え得ることは勿論である。
【００２６】
例えば、扁平突起部９の頂面９ａを緩やかな凹曲面形状にする代わりに頂面９ａを平面とし、図７〜図９に示すように頂面９ａに突起１１を形成してもよい。このようにすることでも摩擦抵抗を確保できる。なお図７〜図９では、扁平突起部９が円柱の場合を示す。
【図面の簡単な説明】
【００２７】
【図１】本考案に係る櫛の全体斜視図である。
【図２】図１の正面図である。
【図３】図１の平面図である。
【図４】図１の要部拡大図である。
【図５】本考案に係る櫛を用いた動作説明図である。
【図６】本考案に係る櫛を理容師や美容師が把持している時に指頭と扁平突起部との当接状態を示す拡大側面図である。
【図７】本考案に係る別の櫛の正面図である。
【図８】本考案に係る別の櫛の要部拡大斜視図である。
【図９】本考案に係る別の櫛を理容師や美容師が把持している時に指頭と扁平突起部との当接状態を示す拡大側面図である。
【符号の説明】
【００２８】
１  櫛
３  櫛骨
５  櫛歯
７  峰部
９  扁平突起部
９ａ  扁平突起部の頂面
１１  突起
５１  櫛歯領域Ａ１の櫛歯（第１の櫛歯領域）
５２  櫛歯領域Ａ２の櫛歯（第２の櫛歯領域）
９１  第１の扁平突起部
９２  第２の扁平突起部
Ａ１  第１の櫛歯領域
Ａ２  第２の櫛歯領域
【図１】
0003114881.tif 000003
【図２】
0003114881.tif 000004
【図３】
0003114881.tif 000005
【図４】
0003114881.tif 000006
【図５】
0003114881.tif 000007
【図６】
0003114881.tif 000008
【図７】
0003114881.tif 000009
【図８】
0003114881.tif 000010
【図９】
0003114881.tif 000011